(57)【要約】【課題】  コスト高を招くことなくフィスカル機能が付加され、フィスカルカードの抜き差しの操作性も良いプリンタを提案すること。【解決手段】  プリンタ１は、プリンタ本体２と、その底に取り付けたフィスカルユニット１００とを備えている。フィスカルユニット１００の前面にはフィスカルカード１０５を差し込むためのカードスロット１１２が形成され、その側方には、フィスカルカード１０５への書き込み状態を表示するための状態表示ランプ１０１ａ、１０１ｂが配置されている。プリンタ前面からフィスカルカード１０５の抜き差し、および状態確認ができるので操作性に優れている。プリンタ本体２は既存のプリンタを仕様変更することなくそのまま利用できるので、コスト高を招くことなく、フィスカル機能付きのロール紙プリンタを実現できる。【選択図】  図１
2006082315.tif 000002
【特許請求の範囲】
【請求項１】
プリンタ前面の下側部位に形成されたカードスロットと、
このカードスロットから差し込まれたメモリカードにプリンタ記憶情報を書き込むためのカードライタと、
前記カードライタの動作状態を表示するために、前記プリンタ前面における前記カードスロットの隣接位置に配置されている状態表示ランプとを有しているプリンタ。
【請求項２】
請求項１において、
前記プリンタ記憶情報は、当該プリンタによって発行された売上伝票、領収書などに印字された売上履歴情報であり、
前記カードライタは、前記カードスロットから差し込まれる売上集計用のＩＣメモリカードに、前記売上履歴情報を書き込むためのものであることを特徴とするプリンタ。
【請求項３】
請求項２において、
機体識別情報が担持されたＩＤカードが内蔵されており、
前記カードライタは、前記売上履歴情報と共に前記機体識別情報の書き込みも行うものであることを特徴とするプリンタ。
【請求項４】
請求項３において、
プリンタ本体と、
このプリンタ本体の底面に取り付けられている拡張機能ユニットとを有し、
前記プリンタ本体には、記録紙を搬送するための各部品、記録紙に印字を行うための印字ヘッド、および、各部の駆動を制御するための制御回路が搭載されているプリンタ制御基板が組み込まれており、
前記拡張機能ユニットには、前記カードライタと、前記ＩＤカードと、前記カードライタおよび前記状態表示ランプの駆動を制御するための拡張機能制御基板とが組み込まれており、
当該拡張機能ユニットにおける前記プリンタ前面の下側部位を形成している前面部分に、前記カードスロットが形成されていることを特徴とするプリンタ。
【請求項５】
請求項４において、
前記プリンタ本体は、前記の記録紙を搬送するための各部品、前記印字ヘッド、および、前記プリンタ制御基板が搭載されている本体フレームと、当該本体フレームの底部以外の部位を覆っているプリンタ本体ケースとを備えており、
前記拡張機能ユニットは、ユニットケースと、このユニットケースの底側開口を封鎖している底板とを備えており、
前記本体フレームの底部、前記ユニットケースおよび前記底板によって覆われている空間内に、前記プリンタ制御基板、前記カードライタ、前記ＩＤカードおよび前記拡張機能制御基板が配置されており、
前記ユニットケースにおけるプリンタ前面部分に、前記カードスロットが形成されていることを特徴とするプリンタ。
【請求項６】
請求項５において、
前記拡張機能ユニットは、前記空間内において前記プリンタ制御基板に対して所定の間隔で対峙するように、前記拡張機能制御基板を位置決めするための基板マウントを備えていることを特徴とするプリンタ。
【請求項７】
請求項６において、
前記ＩＤカードは、前記拡張機能制御基板と前記底板の間に配置されており、
前記底板における前記ＩＤカードに対峙する部位には、ＩＤカード装着用の開口部が形成されており、
当該開口部が封鎖板によって封鎖されていることを特徴とするプリンタ。
【請求項８】
請求項７において、
前記基板マウントは、前記カードライタ、前記ＩＤカードおよび前記拡張機能制御基板におけるプリンタ前側部分およびプリンタ両側部分を覆う電磁シールド部材であり、
前記底板は、これらの部位のプリンタ底側部分およびプリンタ後側部分を覆う電磁シールド部材であることを特徴とするプリンタ。
【請求項９】
請求項５ないし８のうちのいずれかの項において、
前記本体フレームは、ロール紙収納部が形成された固定側フレームと、この固定側フレームによって開閉可能に支持されている開閉フレームとを備え、
前記プリンタ本体ケースは、前記ロール紙収納部に対するロール紙の交換を行うための開口部を封鎖している開閉蓋を備え、
当該開閉蓋は前記開閉フレームと一緒に開閉するように、当該開閉フレームに搭載されていることを特徴とするプリンタ。
【発明の詳細な説明】
【技術分野】
【０００１】
本発明はロール紙プリンタなどのプリンタに関し、特に、発行された売上伝票や領収書に印字される売上情報などのプリンタ情報を携帯可能なメモリカードに書き込む拡張機能を備えたプリンタに関するものである。
【背景技術】
【０００２】
プリンタ、例えば、記録紙ロールに印字を行うためのプリンタは、売上伝票、領収書などを発行するために用いられており、記録紙ロール収納部に装填された記録紙ロールから記録紙が繰り出されて印字位置を経由して搬送され、上位の金銭処理装置などから供給される売上情報などが、記録紙上に印字されるようになっている。かかるプリンタでは、記録紙ロールの交換作業が簡単にできるように、プリンタの本体フレームに対して開閉フレームが開閉可能に取り付けられ、開閉フレームを開けると、記録紙ロール収納部が全開状態になると共に記録紙搬送経路が開放状態になる構成のものが知られている。例えば、下記の特許文献１、２に開示されている。
【特許文献１】特開平９−３１４９５５号公報
【特許文献２】特開平６−５５８０６号公報
【発明の開示】
【発明が解決しようとする課題】
【０００３】
近年においては、税務申告などに用いるために、プリンタによって発行された売上伝票、領収書などに印字される売上情報（以下、フィスカル（ｆｉｓｃａｌ）情報と呼ぶ。）を記憶保持しておき、これを、税務申告などのために直接に用いるＩＣカードなどのメモリカード（以下、フィスカルカードと呼ぶ。）にダウンロードする拡張機能（以下、フィスカル機能と呼ぶ。）をプリンタに搭載したいという要望が高まっている。
【０００４】
しかしながら、ロール紙プリンタなどの小型プリンタは、その小型化およびコンパクト化が強く要求されているので、このようなフィスカル機能を実現するための部品を搭載するスペースを確保することが困難である。また、フィスカル機能を備えたプリンタを新たに設計することは、プリンタ各部の仕様を変更するなどの必要があるので、コストの面で不利であり、低コスト化が強く要求されている小型プリンタにおいては実用的でない。
【０００５】
本発明の課題は、このような点に鑑みて、コスト高に繋がるプリンタ各部の仕様変更を伴うことなくフィスカル機能を付加するのに適した構成を備えたプリンタを提案することにある。
【０００６】
また、本発明の課題は、上記課題に加えて、フィスカルカードの抜き差しを操作性良く行うことのできる構成を備えたプリンタを提案することにある。
【課題を解決するための手段】
【０００７】
上記の課題を解決するために、本発明のプリンタは、
プリンタ前面の下側部位に形成されたカードスロットと、
このカードスロットから差し込まれたメモリカードにプリンタ記憶情報を書き込むためのカードライタと、
前記カードライタの動作状態を表示するために、前記プリンタ前面における前記カードスロットの隣接位置に配置されている状態表示ランプとを有していることを特徴としている。
【０００８】
フィスカル機能を備えたプリンタでは、前記プリンタ記憶情報は、当該プリンタによって発行された売上伝票、領収書などに印字された売上履歴情報である。この場合には、前記カードライタは、前記カードスロットから差し込まれる売上集計用のＩＣメモリカードに、前記売上履歴情報の書き込みを行うように構成される。
【０００９】
このようなフィスカル機能を備えたプリンタは、一般に、機体識別情報が担持されたＩＤカードが内蔵されており、前記カードライタは、前記売上履歴情報と共に前記機体識別情報の書き込みも行うようになっている。
【００１０】
本発明のプリンタでは、プリンタ前面にカードスロットが形成されているので、プリンタ側面や背面にカードスロットが形成されている場合に比べて、メモリカードの抜き差しの操作性が良い。また、プリンタ前面の下側部位にカードスロットが形成されているので、次のように、既存のプリンタの底面にフィスカル機能を実現するための拡張機能ユニットを取り付けるだけで、簡単かつ廉価に、フィスカル機能付きプリンタを得ることができる。
【００１１】
すなわち、本発明によるプリンタの好適な構成は、
プリンタ本体と、
このプリンタ本体の底面に取り付けられている拡張機能ユニットとを有し、
前記プリンタ本体に、記録紙を搬送するための各部品、記録紙に印字を行うための印字ヘッド、および、各部の駆動を制御するための制御回路が搭載されているプリンタ制御基板が組み込まれており、
前記拡張機能ユニットには、前記カードライタと、前記ＩＤカードと、前記カードライタおよび前記状態表示ランプの駆動を制御するための拡張機能制御基板とが組み込まれており、
当該拡張機能ユニットにおける前記プリンタ前面の下側部位を形成している前面部分に、前記カードスロットが形成されていることを特徴としている。
【００１２】
ここで、前記プリンタ本体は、既存のプリンタと同一構成とすることができる。すなわち、前記プリンタ本体は、前記の記録紙を搬送するための各部品、前記印字ヘッド、および、前記プリンタ制御基板が搭載されている本体フレームと、当該本体フレームの底部以外の部位を覆っているプリンタ本体ケースとを備えた構成とすることができる。この場合には、前記拡張機能ユニットは、ユニットケースと、このユニットケースの底側開口を封鎖している底板とを備えた構成とすることができる。また、前記本体フレームの底部、前記ユニットケースおよび前記底板によって覆われている空間内に、前記プリンタ制御基板、前記カードライタ、前記ＩＤカードおよび前記拡張機能制御基板を配置し、前記ユニットケースにおけるプリンタ前面部分に、前記カードスロットを形成することができる。
【００１３】
この場合、前記拡張機能ユニットは、前記空間内において前記プリンタ制御基板に対して所定の間隔で対峙するように、前記拡張機能制御基板を位置決めするための基板マウントを備えた構成とすることができる。このようにすれば、プリンタ本体の底面に拡張機能ユニットを取り付けた状態において、プリンタ制御基板と拡張機能制御基板が一定の間隔で対峙した状態になるので、これらの間の結線などを簡単に行うことができる。
【００１４】
さらに、前記ＩＤカードを、前記拡張機能制御基板と前記底板の間に配置し、前記底板における前記ＩＤカードに対峙する部位に、ＩＤカード装着用の開口部が形成し、これを封鎖板によって封印状態で封鎖しておくことが望ましい。このようにすれば、ＩＤカードの装着を簡単に行うことができる。
【００１５】
さらには、前記カードライタ、前記ＩＤカードおよび前記拡張機能制御基板をノイズから保護するためには、前記基板マウントとして、前記カードライタ、前記ＩＤカードおよび前記拡張機能制御基板におけるプリンタ前側部分およびプリンタ両側部分を覆う電磁シールド部材を用いると共に、前記底板として、これらの部位のプリンタ底側部分およびプリンタ後側部分を覆う電磁シールド部材を用いることが望ましい。
【００１６】
次に、本発明はロール紙プリンタに適用することができる。この場合には、前記本体フレームは、ロール紙収納部が形成された固定側フレームと、この固定側フレームによって開閉可能に支持されている開閉フレームとを備えた構成とされ、前記プリンタ本体ケースは、前記ロール紙収納部に対するロール紙の交換を行うための開口部を封鎖している開閉蓋を備えた構成とされ、当該開閉蓋は前記開閉フレームと一緒に開閉するように、当該開閉フレームに搭載される。
【発明の効果】
【００１７】
本発明の拡張機能を備えたプリンタでは、そのプリンタ前面の下側部位にカードスロットが形成され、その隣接位置に、カードスロットから差し込まれたメモリカードにプリンタ情報を書き込むためのカードライタの状態を表示するための状態表示ランプが配置されている。かかる構成は、既存のプリンタと同一構造のプリンタ本体ユニットの底面に、カードスロット、状態表示ランプおよびカードライタを備えた拡張機能ユニットを取り付けることにより実現できる。よって、プリンタ内に拡張機能を実現するための構成部品を組み込むためにプリンタ各部の仕様を変更する必要がないので、コスト高を招くことなく拡張機能を付加できる。また、カードスロットおよび状態表示ランプがプリンタ前面に配置されているので、メモリカードの抜き差しが簡単にでき、また、メモリカードへの書き込み動作状態の確認も簡単にできるので、操作性にも優れている。
【発明を実施するための最良の形態】
【００１８】
以下に、図面を参照して、本発明を適用したフィスカル機能付きロール紙プリンタの実施の形態を説明する。
【００１９】
（全体構成）
図１は本実施の形態に係るロール紙プリンタを斜め前方から見た場合の外観斜視図であり、図２はその底面を斜め後方から見た場合の外観斜視図である。また、図３はその概略縦断面図であり、図４は開閉蓋を開けた状態での概略縦断面図である。
【００２０】
これらの図を参照して説明すると、ロール紙プリンタ１は、プリンタ本体２と、このプリンタ本体２の底に取り付けたフィスカルユニット（拡張機能ユニット）１００とを有している。プリンタ本体２は、本体ユニット４と、この本体ユニット４の底部以外の部分を覆っている本体ケース５とを有している。この本体ユニット４には、後述のように、ロール紙収納部、ロール紙搬送機構を構成する各部品、および印字ヘッドが搭載されている。また、本体ユニット４の底板部分６の下面側にはプリンタ制御基板７が一定の間隔を開けて搭載されている。
【００２１】
本体ケース５は、本体ユニット４の四周側面を覆っている矩形枠状の枠状部分８と、プリンタ上面の前側部分を覆う前側開閉蓋９および後側部分を覆う後側開閉蓋１０とを備えている。開閉蓋９、１０の間には幅方向に延びる記録紙排出口１１が形成されている。後側の開閉蓋１０は、記録紙排出口１１の側方に配置されているスライドボタン１２を操作すると、そのロック機構（図示せず）が外れて、図４に示すように開けることが可能になる。開閉蓋１０を開けると、プリンタユニット４における記録紙ロール１３の収納部１４が露出し、記録紙ロール１３の交換などを行うことができる。また、前側の開閉蓋９を開けると、インクリボンのリボンカセット２１を着脱可能に装着するリボンカセット装着部２２が露出し、リボンカセット１６の交換などを行うことができる。
【００２２】
プリンタ本体２の底部に取り付けられているフィスカルユニット１００は、ユニットケース１１０と底板１２０を備えている。ユニットケース１１０は、全体として、プリンタ本体２の底部の外周縁部分に対応する矩形形状をしており、そのプリンタ前面の下側部分を形成している前板部分１１１の中央には、幅方向に延びるカードスロット１１２が形成されている。また、このカードスロット１１２の側方位置には、ＬＥＤからなる２個の状態表示ランプ１０１ａ、１０１ｂの発光面が露出している。
【００２３】
さらに、ユニットケース１１０、底板１２０およびプリンタ本体２の底板部分６によって覆われている空間１０２内には、上記のプリンタ制御基板７と共に、拡張機能制御基板１０４、ＩＣカードからなるフィスカルカード１０５のリーダ・ライタ１０６、およびＩＤカード１０７が配置されている。リーダ・ライタ１０６のカード挿入・排出口１０６ａは、ユニットケース１１０の前板部分１１１に形成したカードスロット１１２に後側から対峙しており、カードスロット１１２にフィスカルカード１０５を差し込むと、そのＩＣメモリチップの搭載部分１０５ａをリーダ・ライタ１０６内に挿入することができる。
【００２４】
（プリンタ本体の内部構造）
次にプリンタ本体２の内部構造を説明する。本体ユニット４における後側の部分には後側開閉蓋１０によって覆われているロール紙収納部１３が形成されており、ここに装填されている記録紙ロール１４から引き出された記録紙１４ａは、ロール紙収納部１３の前端部分に配置されているガイドローラ１５を介して記録紙搬送路１６に導かれる。記録紙搬送路１６に沿って搬送される記録紙１４ａを図３においては一点鎖線で示してある。搬送路１６の途中位置には、ドットインパクト方式の印字ヘッド１７と、これに対して一定間隔で対峙しているプラテン１８とが配置されている。印字ヘッド１７はヘッドキャリッジ１９に搭載されており、ヘッドキャリッジ１９は、キャリッジガイド軸２０に沿って幅方向に往復移動可能となっている。ヘッドキャリッジ１９の上側にはリボンカセット２１の装着部２２が形成されている。
【００２５】
記録紙搬送路１６における印字ヘッド１７の印字位置よりも下流側の位置には、紙送りローラ２３と、紙押さえローラ２４と、紙押さえローラ２４を紙送りローラ２３に付勢している付勢部材（図示せず）を備えた紙送り機構が配置されている。記録紙搬送路１６の下流端は記録紙排出口１１に連通しており、この記録紙排出口１１の近傍には、記録紙１４ａを切断するための鋏式の自動切断ユニット２５が配置されている。自動切断ユニット２５は、記録紙の搬送経路を挟み、前側に配置された固定刃２６と、後側に配置された可動刃２７と、可動刃２７を動作させるための駆動機構２８とを備えている。また、記録紙排出口１１の前縁部分には手動操作により記録紙を切断可能な切断刃２９が取り付けられている。
【００２６】
ここで、本例の本体ユニット４は、図４から分かるように、ロール紙収納部１３の開閉蓋１０を開けると、上記構成の記録紙搬送路１６も開放状態となるように、固定側フレーム３１と、後端部分を中心として上下に開閉可能な状態で固定側フレーム３１によって支持されている開閉フレーム３２から構成されている。また、固定側フレーム３１には搬送路１６を構成している一方の側の構成部品を取り付け、移動側である開閉フレーム３２には開閉蓋１０と、搬送路１６を構成している他方の側の構成部品を取り付けてある。開閉フレーム１６を開くと、ロール紙収納部１３が開放されると同時に、搬送路１６も開放される。
【００２７】
すなわち、開閉フレーム３２を全開にすると、上方から記録紙ロール１４をロール紙収納部１３に落とし込むという簡単な操作により記録紙ロール１４を装填できる。また、搬送路１６が開放状態になっているので、搬送路１６に沿って記録紙ロール１４から引き出した記録紙１４ａを配置する操作も極めて簡単である。さらに、開閉フレーム３２を閉じて図３に示す状態に戻すと、記録紙１４ａが印字ヘッド１７とプラテン１８の間、および紙送りローラ２３と紙押さえローラ２４の間を通って記録紙排出口１１から引き出された状態が自動的に形成される。
【００２８】
（拡張機能ユニットの構造）
図５は、プリンタ本体２の底に取り付けられている拡張機能ユニット３の分解斜視図である。この図を主に参照して拡張機能ユニット３の構造を詳細に説明する。拡張機能ユニット３は、先に述べたように、ユニットケース１１０と、このユニットケース１１０の底を封鎖している底板１２０と、拡張機能制御基板１０４と、フィスカルカード１０５のリーダ・ライタ１０６と、ＩＤカード１０７を備えている。
【００２９】
ユニットケース１１０は、一定高さの前板部分１１１、左右の側板部分１１２、１１３および後板部分１１４からなる矩形枠状のものであり、プリンタ本体２の本体ケース５の底部の輪郭形状に対応した形状をしている。ユニットケース１１０の後側部分は、左右の側板部分１１２、１１３および後板部分１１４の上端部分に架け渡した上板部分１１５によって封鎖されている。上板部分１１５には、上方に矩形状に突出したバッテリ装着部１１５ａが形成されており、この装着部１１５ａの開口部が蓋１１６によって封鎖されている。また、後板部分１１４には、その下側から矩形に切り欠くことにより形成したケーブル引き出し口１１４ａが形成されており、その上端縁には上方に矩形状に突出した封鎖板部分１１４ｂが形成され、この封鎖板部分１１４ｂによって、プリンタ本体２の本体ケース５の後面下縁部分に開口しているケーブル引き出し口８ａが封鎖されている。この構成のユニットケース１１０は、固定ねじ１１７によってプリンタ本体２の底板６の左右の縁部分に固定されている。
【００３０】
ユニットケース１１０の内部には基板マウント１３０が配置されている。基板マウント１３０は、前板部分１３１、左右の側板部分１３２、１３３を備えた後側に開口したコの字形状をしている。その左右の側板部分１３２、１３３の上端縁部分には、直角に外側に折れ曲がった３枚のフランジ１３２ａ〜１３２ｃ、１３３ａ〜１３３ｃが形成され、前後のフランジ１３２ａ、１３２ｃ、１３３ａ、１３３ｃが、固定ねじ１１９によって、プリンタ本体２の底板６にねじ止めされている。また、基板マウント１３０における左右の側板部分１３２、１３３には、内側に直角に折れ曲がった前後２枚のフランジ１３２ｄ、１３２ｅ、および１３３ｄ、１３３ｅが形成されており、これらに、底側から拡張機能制御基板１０４が搭載され、固定ねじ１３４によって固定されている。
【００３１】
基板マウント１３０に取り付けられた拡張機能制御基板１０４は、図３から分かるように、ユニットケース１１０内における上下方向の途中位置において水平に保持され、プリンタ本体２の底板６の下側に配置されているプリンタ制御基板７と平行な状態で対峙している。また、基板マウント１３０の前板部分１３１には、カードスロットに対峙する部位にスロット１３１ｆが形成されており、ここを介して、フィスカルカード１０５を基板１０４に搭載されているリーダ・ライタ１０６の挿入口に差し込むことが可能となっている。リーダ・ライタ１０６の下面にはコネクタを介してＩＤカード１０７が取り付けられている。このＩＤカード１０７には、プリンタ１の機体識別情報（ＩＤコード）および認証コードなどが担持さている。また、制御基板１０４の後端部分には、外部接続端子１０４ａなどの部品が搭載されている。
【００３２】
次に、ユニットケース１１０の底側に取り付けた底板１２０は、矩形の底板本体部分１２１と、この底板本体部分１２１の後端縁から上方に直角に延びている後板部分１２２とを備えている。底板本体部分１２１の四隅は、固定ねじ１２３によって、ユニットケース１１０の底側開口部を封鎖する状態で、当該ユニットケース１１０に固定されている。底板本体部分１２１におけるＩＤカード１０７に対峙する部位には、当該カードを装着するための矩形の開口部１２１ａが形成されており、この開口部１２１ａが蓋１２４によって封鎖されている。また、後板部分１２２における制御基板１０４の後端に搭載されている外部接続端子１０４ａなどの部品に対峙する部位には開口部１２２ａが形成されており、これらを介して外部接続端子が外部に突出可能となっている。
【００３３】
底板１２０を取り付けた状態においては、図３に示すように、拡張機能制御基板１０４、リーダ・ライタ１０６、ＩＤカード１０７の下側および後側が、当該底板１２０によって覆われた状態になる。また、これらの前側および左右は、基板マウント１３０によって覆われた状態となっている。本例では、底板１２０および基板マウント１３０は電磁シールド部材から形成されているので、これらによって取り囲まれている電子部品は電磁ノイズから保護された状態となっている。
【００３４】
このように構成した本例のフィスカル機能付きのロール紙プリンタ１では、売上伝票、領収書などが発行される毎に、フィスカル情報（印字情報）が記憶保持される。フィスカルカード１０５をプリンタ前面下側位置に形成されているカードスロット１１２に差し込むと、リーダ・ライタ１０６によって、記憶保持されているフィスカル情報が機体識別情報と共に当該フィスカルカード１０５に書き込まれる。また、カードスロット１１２の隣接位置には状態表示ランプ１０１ａ、１０１ｂが配置されており、例えば、状態表示ランプ１０１ａの点灯によりＩＣカードの書き込み可能状態が表示され、状態表示ランプ１０１ｂの点灯によってＩＣカードへの書き込み動作中であることが表示される。
【００３５】
以上説明したように、本例のロール紙プリンタでは、カードスロット１１２はプリンタ前面に位置しているので、カードの抜き差しの操作が簡単である。また、状態表示ランプ１０ａ、１０１ｂがプリンタ前面におけるカードスロット１１２の隣接位置にあるので、動作確認も簡単にできる。
【００３６】
また、プリンタ本体２は、例えば、既存のロール紙プリンタと同一構成とし、その底部に拡張機能ユニット３を追加することにより、本例のロール紙プリンタ１を構成することができる。したがって、フィスカル機能を搭載するためにプリンタ本体の各部分の仕様変更などを必要としないので、コスト高を招くことなく、フィスカル機能付きのロール紙プリンタを実現できる。
【００３７】
さらに、基板マウント１３０と底板１２０によって、拡張機能制御基板および搭載電子部品が電磁シールドされた状態となっているので、外部あるいはプリンタ本体側からの電磁ノイズによってフィスカル機能を実行する各部分に誤動作が生ずることも防止できる。
【００３８】
（基板マウントの別の例）
図６はフィスカルユニット１００の別の例を示す分解斜視図である。この図に示す拡張機能ユニット２００の基本構成は上記のフィスカルユニット１００と同一であるので、対応する部位には同一の符号を付し、それらの説明は省略する。本例の拡張機能ユニット２００は、上記のコの字形状をした基板マウント１３０の代わりに、プリンタ本体２の底板６に垂直に取り付けた４本の円柱状の基板マウント２０１を備えている。これらの基板マウント２０１に拡張機能制御基板１０４を搭載することにより、図３に示す状態と同様な状態で、拡張機能制御基板１０４を配置することができる。
【００３９】
この構成においては、先に述べたフィスカルユニット１００の基板マウント１３０のような電磁シールド機能は備わっていないが、構造が単純であり、廉価に構成できるという利点がある。
【図面の簡単な説明】
【００４０】
【図１】本発明を適用したプリンタを前側上方から見た場合の外観斜視図である。
【図２】図１のプリンタを底面後方側から見た場合の外観斜視図である。
【図３】図１のプリンタの内部構造を示す概略断面図である。
【図４】図１のプリンタの開閉蓋を開けた状態を示す概略部分断面図である。
【図５】図１のプリンタの拡張機能ユニットの分解斜視図である。
【図６】本発明を適用した拡張機能ユニットの別の例を示す分解斜視図である。
【符号の説明】
【００４１】
１  フィスカル機能付きロール紙プリンタ、２  プリンタ本体、４  本体ユニット、５  本体ケース、６  プリンタ本体の底板、７  プリンタ制御基板、１０  後側開閉蓋、１１  記録紙排出口、１３  ロール紙収納部、１４  記録紙ロール、１４ａ  記録紙、１６  搬送路、１７  印字ヘッド、２３  紙送りローラ、２４  紙押さえローラ、２５  記録紙切断ユニット、１００  フィスカルユニット、１０１ａ、１０１ｂ  状態表示ランプ、１０２  空間、１０４  拡張機能制御基板、１０５  フィスカルカード、１０６  リーダ・ライタ、１０７  ＩＤカード、１１０  ユニットケース、１１１  前板部分、１１２  カードスロット、１２０  底板、１２１  底板本体部分、１２２  後板部分、１２４  蓋、１３０  基板マウント、２００  フィスカルユニット、２０１  基板マウント
【図１】
2006082315.tif 000003
【図２】
2006082315.tif 000004
【図３】
2006082315.tif 000005
【図４】
2006082315.tif 000006
【図５】
2006082315.tif 000007
【図６】
2006082315.tif 000008